【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
コンテンツのデータと前記コンテンツの表示時間と表示ごとの表示料の単価情報を関連付けて記憶するコンテンツ記憶部と、 端末装置と印刷装置に接続され、印刷データを前記端末装置から受信し、前記印刷データを前記印刷装置へ送信する送受信手段と、 前記送受信手段から前記印刷データを受信し、前記印刷データの印刷時間を測定し、前記印刷時間内で表示可能であり、かつ前記表示料の合計が所定の条件に当てはまることを検出条件として、前記コンテンツの組み合わせからなる表示パターンを検出し、該当する前記コンテンツのデータを前記コンテンツ記憶部から読み出すコンテンツ選択手段と、 前記コンテンツのデータを表示する表示装置に接続され、前記コンテンツのデータを前記コンテンツ選択手段から受信して前記表示装置に送信する表示出力手段と、 を備えたことを特徴とするコンテンツ表示装置。
【請求項２】
前記コンテンツ記憶部は、前記コンテンツに関連付けて前記コンテンツの表示を許可する時間帯の情報を記憶しており、 前記コンテンツ選択手段は、 内部に設定されている時計から現在時刻の情報を取得し、前記現在時刻に表示が許可されている前記コンテンツを検出対象に含めることを特徴とする請求項１に記載のコンテンツ表示装置。
【請求項３】
前記コンテンツ記憶部は、前記表示料の予納金の残額情報を前記コンテンツに対応付けて記憶しており、 前記コンテンツ選択手段は、 前記コンテンツごとの予納残額がマイナスにならないことを前記コンテンツの前記表示パターンの検出条件に含めることを特徴とする請求項１または２に記載のコンテンツ表示装置。
【請求項４】
記録媒体から印刷データを読み出す端末装置と、 前記端末装置から前記印刷データを受信し、前記印刷データの印刷時間を測定し、予め記憶している情報を含むコンテンツから前記印刷時間の範囲内で表示可能であり、前記コンテンツの表示ごとに設定されている表示料の合計が所定の条件に当てはまることを検出条件として、前記コンテンツの表示パターンを検出し、前記表示パターンに該当するコンテンツのデータ及び前記印刷データを送信するコンテンツ表示装置と、 前記コンテンツ表示装置から前記印刷データを受信して印刷する印刷装置と、 前記コンテンツ表示装置から前記コンテンツのデータを受信して表示する表示装置と、 を備えたことを特徴とするコンテンツ表示システム。
【請求項５】
記録媒体から印刷データを読み出す端末装置と、前記印刷データを印刷する印刷装置と、コンテンツのデータを表示する表示装置に接続され、表示時間と表示ごとの表示料の単価情報が設定されている情報を含んだコンテンツのデータを記憶するコンテンツ表示装置のコンテンツ表示方法であって、 前記印刷データを前記端末装置から受信する過程と、 前記送受信手段から前記印刷データを受信する過程と、 前記印刷データの印刷時間を測定し、前記印刷時間内で表示可能であり、かつ前記表示料の合計が所定の条件に当てはまることを検出条件として、前記コンテンツの表示パターンを検出する過程と、 前記コンテンツのデータを表示装置に送信する過程と、 前記印刷データを前記印刷装置へ送信する過程と、 からなることを特徴とするコンテンツ表示方法。
【請求項６】
記録媒体から印刷データを読み出す端末装置と、前記印刷データを印刷する印刷装置と、コンテンツのデータを表示する表示装置に接続され、表示時間と表示ごとの表示料の単価情報が設定されている情報を含んだコンテンツのデータを記憶するコンテンツ表示装置のコンピュータに、 前記印刷データを前記端末装置から受信する手順、 前記送受信手段から前記印刷データを受信する手順、 前記印刷データの印刷時間を測定し、前記印刷時間内で表示可能であり、かつ前記表示料の合計が所定の条件に当てはまることを検出条件として、前記コンテンツの表示パターンを検出する手順、 前記コンテンツのデータを表示装置に送信する手順、 前記印刷データを前記印刷装置へ送信する手順、 を実行させるコンピュータプログラム。
【手続補正２】
【補正対象書類名】明細書
【補正対象項目名】０００１
【補正方法】変更
【補正の内容】
【０００１】
本発明は、印刷装置の印刷の待ち時間の間にコンテンツを表示するコンテンツ表示装置及びコンテンツ表示方法ならびにそのコンピュータプログラム、コンテンツ表示システムに関する。
【手続補正３】
【補正対象書類名】明細書
【補正対象項目名】０００５
【補正方法】変更
【補正の内容】
【０００５】
上述した課題を解決するために、請求項１に記載の発明は、コンテンツのデータと前記コンテンツの表示時間と表示ごとの表示料の単価情報を関連付けて記憶するコンテンツ記憶部（コンテンツデータベース４）と、端末装置（端末装置３０）と印刷装置（印刷装置２０）に接続され、印刷データを前記端末装置から受信し、前記印刷データを前記印刷装置へ送信する送受信手段（送受信手段１）と、前記送受信手段から前記印刷データを受信し、前記印刷データの印刷時間を測定し、前記印刷時間内で表示可能であり、かつ前記表示料の合計が所定の条件に当てはまることを検出条件として、前記コンテンツの組み合わせからなる表示パターンを検出し、該当する前記コンテンツのデータを前記コンテンツ記憶部から読み出すコンテンツ選択手段（コンテンツ選択手段２）と、前記コンテンツのデータを表示する表示装置（表示装置４０）に接続され、前記コンテンツのデータを前記コンテンツ選択手段から受信して前記表示装置に送信する表示出力手段（表示出力手段３）と、を備えたことを特徴とするコンテンツ表示装置（コンテンツ表示装置１０）である。
【手続補正４】
【補正対象書類名】明細書
【補正対象項目名】０００７
【補正方法】変更
【補正の内容】
【０００７】
請求項３に記載の発明は、請求項１または２に記載の発明において、前記コンテンツ記憶部は、前記表示料の予納金の残額情報を前記コンテンツに対応付けて記憶しており、前記コンテンツ選択手段は、前記コンテンツごとの予納残額がマイナスにならないことを前記コンテンツの前記表示パターンの検出条件に含めることを特徴とする。
【手続補正５】
【補正対象書類名】明細書
【補正対象項目名】０００８
【補正方法】変更
【補正の内容】
【０００８】
請求項４に記載の発明は、記録媒体から印刷データを読み出す端末装置と、前記端末装置から前記印刷データを受信し、前記印刷データの印刷時間を測定し、予め記憶している広告情報を含むコンテンツから前記印刷時間の範囲内で表示可能であり、前記コンテンツの表示ごとに設定されている表示料の合計が所定の条件に当てはまることを検出条件として、前記コンテンツの表示パターンを検出し、前記表示パターンに該当するコンテンツのデータ及び前記印刷データを送信するコンテンツ表示装置と、前記コンテンツ表示装置から前記印刷データを受信して印刷する印刷装置と、前記コンテンツ表示装置から前記コンテンツのデータを受信して表示する表示装置と、を備えたことを特徴とするコンテンツ表示システムである。
【手続補正６】
【補正対象書類名】明細書
【補正対象項目名】０００９
【補正方法】変更
【補正の内容】
【０００９】
請求項５に記載の発明は、記録媒体から印刷データを読み出す端末装置と、前記印刷データを印刷する印刷装置と、コンテンツのデータを表示する表示装置に接続され、表示時間と表示ごとの表示料の単価情報が設定されている情報を含んだコンテンツのデータを記憶するコンテンツ表示装置のコンテンツ表示方法であって、前記印刷データを前記端末装置から受信する過程と、前記送受信手段から前記印刷データを受信する過程と、前記印刷データの印刷時間を測定し、前記印刷時間内で表示可能であり、かつ前記表示料の合計が所定の条件に当てはまることを検出条件として、前記コンテンツの表示パターンを検出する過程と、前記コンテンツのデータを表示装置に送信する過程と、前記印刷データを前記印刷装置へ送信する過程と、からなることを特徴とするコンテンツ表示方法である。
【手続補正７】
【補正対象書類名】明細書
【補正対象項目名】００１０
【補正方法】変更
【補正の内容】
【００１０】
請求項６に記載の発明は、記録媒体から印刷データを読み出す端末装置と、前記印刷データを印刷する印刷装置と、コンテンツのデータを表示する表示装置に接続され、表示時間と表示ごとの表示料の単価情報が設定されている情報を含んだコンテンツのデータを記憶するコンテンツ表示装置のコンピュータに、前記印刷データを前記端末装置から受信する手順、前記送受信手段から前記印刷データを受信する手順、前記印刷データの印刷時間を測定し、前記印刷時間内で表示可能であり、かつ前記表示料の合計が所定の条件に当てはまることを検出条件として、前記コンテンツの表示パターンを検出する手順、前記コンテンツのデータを表示装置に送信する手順、前記印刷データを前記印刷装置へ送信する手順、を実行させるコンピュータプログラムである。